(57)【要約】      （修正有）【課題】使用者が被る作業帽やヘルメットに予め設けた面ファスナー材に脱着自在に取り付けることができ、顔面を覆う位置にも開放する位置にもシールド材を回動できるようにして呼気がシールド材内に籠らないように使用できる顔面防護用シールド材を提供する。【解決手段】可撓性を有し使用者の顔面を覆うに充分な大きさの四辺形状のシールド材１の上辺両端隅部近傍部位に、使用者が頭部に被る保護帽子の左右こめかみから側頭部にかかる部位に設けられた面ファスナーの起毛面部材６に脱着自在に合着する面ファスナーの突起面部材２を軸止ピン３により回動可能に軸止めする。【選択図】図２
0003227738.tif 000002
【実用新案登録請求の範囲】
【請求項１】
可撓性を有し使用者の顔面を覆うに充分な大きさの四辺形状のシールド材の上辺両端隅部近傍部位に、使用者が頭部に被る保護帽子の左右こめかみから側頭部にかかる部位に設けられた面ファスナー材に脱着自在に合着する面ファスナー材を回動可能に軸止めして設けてなることを特徴とする顔面防護用シールド材。
【考案の詳細な説明】
【技術分野】
【０００１】
本考案は、使用者が被る帽子やヘルメットに取り付けることで使用者の顔面を容易に防護することができる顔面防護用シールド材に関する。
【背景技術】
【０００２】
従来、工業製品の製造作業時の例えば切削作業時の切り屑、溶接作業時の火花、建築現場での作業時に瓦礫から生じる粉塵などが、作業者の顔面に飛来して傷つけないように顔面を防護する防護具、所謂、フェイスシールドやフェイスガードと呼ばれるものが使用されている。また、医療行為時においても患者からの血液や他の感染性の液体の飛沫が医療従事者に暴露しないように防護具が使用されている。
【０００３】
このような防護具は、その目的において、顔面をしっかり覆うことを基本形状としながら、産業用や建築用では耐熱性や強度性、耐化学性を高める必要から、シールド部材となるプラスチック材の材質などの改良に開発のポイントがあり、また、医療用では、ウイルスや感染物質の飛沫感染を防止する目的から、シールド部材の取り付けにおける気密性や密着性を向上させることが求められ、それぞれの防護目的における機能性に主眼をおいて改良開発が行われてきたものである。
【０００４】
しかしながら、かかる高機能性を必要とせず、家庭での簡易な作業を行う場合等には、使用勝手のよい簡便な構造のものが求められる場合も多い。また、昨今の感染性ウイルスの飛沫保護のため、サービスを提供する側の対面接客時において防護具を装着する必要性が増しており、このように使用機会が多く、使用人数も多い場合には、装着が容易でコストもかからない構造のものが求められている。そこで、このような要望に応えるために、簡易構成の防護具が各種提案されている（特許文献１）（特許文献２）。
【先行技術文献】
【特許文献】
【０００５】
【特許文献１】特開２００９−１８９５４３号公報
【特許文献２】特許第４０４０６１２号公報
【考案の概要】
【考案が解決しようとする課題】
【０００６】
上記特許文献１、２に記載の防護具であるフェイスガードは、頭部や首回りへの装着部材にシールド材を取り付けて一体型として形成されているので、シールド材が使用者の目や鼻を覆った状態のままの使用態様となり、呼気がシールド材内に籠ることになる。そのため、長時間の使用に適さないという問題があった。また、防護具として一体的に形成されていると、持ち運びが不便となっていたものであり、シールド材の表面が汚れた場合や傷付いてもシールド材のみを交換することができないという問題もあった。
【０００７】
上記した一体型の簡易構成の防護具を建築現場や製造現場で使用する場合には、係る防護具を先ず装着してからヘルメットや作業帽を被っていたが、使用者にとっては頭部に二重に重ねて装着するという不便さを感じさせるものであり、この場合も、顔面を覆うシールド材を開放することも、交換することもできず、作業現場で求められる即応性に応えることができないという問題があった。
【０００８】
そこで、本考案は、従来のように、顔面を防護するシールド材を使用者への装着具に一体的に取り付ける構成とするのではなく、シールド材のみを使用して、使用者が被る作業帽やヘルメットに予め設けた取り付け部材に取り付けることできるようにし、顔面を覆う位置にも開放する位置にもシールド材を回動できるようにして呼気がシールド材内に籠らないように使用できる顔面防護用シールド材を提供することを課題とする。
【課題を解決するための手段】
【０００９】
上記の課題を解決するために、本考案は、次のように構成した。すなわち、本考案に係る顔面防護用シールド材は、可撓性を有し使用者の顔面を覆うに充分な大きさの四辺形状のシールド材の上辺両端隅部近傍部位に、使用者が頭部に被る保護帽子の左右こめかみから側頭部にかかる部位に設けられた面ファスナー材に脱着自在に合着する面ファスナー材を回動可能に軸止めしてなることを特徴としている。
【００１０】
上記のように構成された顔面防護用シールド材を顔面に対して撓ませながら、その上部両端側に設けた面ファスナー材を、使用者が頭部に被る保護帽子の左右こめかみから側頭部にかかる部位に設けられた面ファスナー材に合着させれば、使用者の顔面を覆う状態で取り付けることができる。顔面防護用シールド材側の面ファスナー材は回動可能に軸止めされているので、シールド材の下部を持って押し上げれば、軸止めされた部位を支点にして顔面を覆う位置から前方へ開放する方向に回動させることができる。したがって、長時間の使用で呼気がシールド材内に籠る場合には、シールド材を顔面から前方に回動操作して、籠った呼気を開放することができる。使用者が頭部に被る保護帽子は、建築現場等で使用されるヘルメットや工作現場で使用される一般的な作業帽、医療従事者が通常に使用している看護帽、野球などスポーツ観戦等の際に被る帽子など、頭部に被る保護帽子の類であれば、広く取り付け対象とすることができる。
【考案の効果】
【００１１】
本考案にかかる顔面防護用シールド材によれば、従来の一体型の防護具のように二重に装着することなく、使用者が既存に使用して被っている作業帽やヘルメットに容易に取り付けることでき、その使用における汎用性を高めることができるとともに、シールド材を顔面から開放したり閉じたりの調整も行うことができるので、呼気がシールド材内に籠らないようにして長時間の使用にも適用できるようになる。
【図面の簡単な説明】
【００１２】
【図１】本考案の実施例である顔面防護用シールド材の構成を示す平面図である。
【図２】ヘルメットに本実施例のシールド材を取り付ける状態を説明する図である。
【図３】看護帽に本実施例のシールド材を取り付ける状態を説明する図である。
【図４】シールド材を顔面から前方へ開放した状態を説明する図である。
【考案を実施するための形態】
【００１３】
以下、本考案の実施の形態について図面に基づき説明する。
【００１４】
本考案の実施例である顔面防護用シールド材１（以下、シールド材１という）は、使用者の顔面を覆う充分な大きさの四隅に丸みを持たせた長方形状にカットされた可撓性を有するＰＥＴ素材等のプラスチック材からなり、図１に示すように、その上辺両端隅部の近傍部位に、約２．５ｃｍ四方の正方形状に形成された面ファスナーの突起面部材２がそれぞれ取り付けられている。この突起面部材２の取り付けは、軸止ピン３によって加締め止めされており、突起面部材２が軸止ピン３を中心に僅かに回動できる程度の強さで軸止されている。
【００１５】
本実施例のシールド材１は、透明感を重視してＰＥＴ素材を使用しているが、可撓性を有するものであれば、ＵＶカット機能を発揮できるものや、特別に着色したものなど、使用対象となるものの特性に応じて適宜選択することができる。また、基本的には、シールド材１の形状を長方形状としたが、下辺の両端部を円弧上にして使用者の首や肩に当たりにくくするような形状にしてもよく、面ファスナーの突起面部材２も正方形状でなくデザイン性を考慮して円形状や多角形状に形成してもよい。
【００１６】
シールド材１は、上記のように構成されているので、図２（ａ）に示すように、シールド材１の上辺両端側を持って顔面まで撓ませながら、例えば、ヘルメット５に近づけて、シールド材１の突起面部材２をヘルメット５の左右の側頭部を一定長さで覆う部位に取り付けた面ファスナーの起毛面部材６に合着すれば、同図（ｂ）に示すように、容易に使用者の顔面を覆うように取り付けることができる。
【００１７】
ヘルメット５のみならず、図３に示すように、医療従事者が通常被っている看護帽７に面ファスナーの起毛面部材６を、上記と同様に側頭部を一定長さで覆う部位に設けておけば、シールド材１の取り付けを上記と同様に行うことができる。その取り付けを行うことができる対象は、工場等において作業者が被っている作業帽でもよく、野球などスポーツ観戦等の際に被る帽子など、頭部に被る保護帽子の類であれば、広く取り付け対象とすることができる。予め、保護帽子側に面ファスナーの起毛面部材６を取り付けには、縫製しておくこともでき、また、両面テープが施された面ファスナー材が簡単に入手できるので、かかる面ファスナー材を必要な大きさに切り取って貼り付けるようにすれば、特別な作業を必要とせずに行うことができる。
【００１８】
本実施例のシールド材１は、上記のように種々の既存の保護帽子に取り付けることができ、使用者の顔面を防護することができる。また、その取り付け態様において、シールド材１の面ファスナーの突起面部材２が軸止ピン３によって加締め止めされているので、図４に示すように、シールド材１の下端部側を持って顔面の前方へ押し上げれば、軸止ピン２を支点としてシールド材１自体を顔面から開放する方向に回動させることができる。
【００１９】
また、突起面部材２は軸止ピン３を中心に僅かに回動できる程度の強さで軸止されているので、シールド材１を開放方向に回動させた場合に、持ち上げた任意の位置で静止させることができる。このため、シールド材１と顔面との間の通気を良くする場合や、作業時にかいた汗を拭きとる場合、作業対象物を直接視認しようとする場合などにおいて、従来のように保護帽子等を脱いでから防護具自体を取り外すという手間のかかる操作なしで対応することができる。
【００２０】
また、シールド材１は、使用しない状態の場合は、Ａ４サイズ程度の薄い平板状になっているので、従来の一体型に形成された顔面防護具に比べて、鞄などに入れて容易に持ち運ぶことができる。しかも、シールド材１の構造は極めて簡単であり、製造コストが掛からない。したがって、対面接客によりサービスを提供する際に制帽などを着用している場合には、この制帽に取り付けることもできるので、飛沫感染の防止として使用頻度が高く使用数量も数多く求められるような接客現場での使用に適したものとなる。
【００２１】
上記実施例では、ヘルメット等の保護帽子に面ファスナー材を設けて、シールド材１を取り付ける場合を説明したが、ニット帽などのように、面ファスナーの起毛面部材に相当するもので形成されていれば、シールド材１を直接取り付けることもでき、その使用できる適用範囲は広くなる。
【符号の説明】
【００２２】
１  顔面防護用シールド材
２  突起面部材
３  軸止ピン
５  ヘルメット
６  起毛面部材
７  看護帽
【図１】
0003227738.tif 000003
【図２】
0003227738.tif 000004
【図３】
0003227738.tif 000005
【図４】
0003227738.tif 000006